(57)【特許請求の範囲】
【請求項１】
コンピュータにより、
電子化された自然言語文の構文木構造を解析する自然言語文解析工程と、
一つ以上のキーワードの指定を受け付けるキーワード指定工程と、
前記自然言語文解析工程で得られた電子化された構文木構造から、前記キーワード指定工程で指定され、電子化されたキーワードを含み、電子化された構文要素から当該自然言語文の最上位の構文要素に至るパスの構文要素を選択して、電子化された部分構文木構造を抽出する部分構文構造抽出工程と、
該部分構文構造抽出工程により抽出し、電子化された部分構文木構造を記憶する記憶工程と、
記憶され、電子化された部分構文木構造から元の自然言語文の部分文を作成する自然言語文作成工程と
を実行処理することを特徴とする文縮約方法。
【請求項２】
前記部分構文木構造抽出工程が、前記自然言語文解析工程で得られ、電子化された構文木構造と類似関係を有し、電子化された構文要素も同時に選択する請求項１記載の文縮約方法。
【請求項３】
前記部分構文木構造抽出工程が、前記自然言語文解析工程で得られ、電子化された構文木構造から選択され、電子化された構文要素の下位の構文要素のうち、特定の特徴を有する構文要素も同時に選択して部分構文木構造を抽出する請求項１又は２に記載の文縮約方法。
【請求項４】
前記部分構文木構造抽出工程が、前記自然言語文解析工程で得られ、電子化された構文木構造から選択され、電子化された構文要素の下位の構文要素のうち、特定の特徴として、一部あるいは全ての連体修飾を用いる請求項３記載の文縮約方法。
【請求項５】
電子化された自然言語文の構文木構造を解析する自然言語文解析手段と、
一つ以上のキーワードの指定を受け付けるキーワード指定手段と、
前記自然言語文解析手段により得られ、電子化された構文木構造から、前記キーワード指定手段により指定され、電子化されたキーワードを含み、電子化された部分構文木構造を抽出する部分構文構造抽出手段と、
該部分構文木構造抽出手段により抽出し、電子化された部分構文木構造を記憶する記憶手段と、
該記憶手段により記憶され、電子化された部分構文木構造から、電子化された元の自然言語文の部分文を作成する自然言語文作成手段とを具備し、各手段をコンピュータにより実行することを特徴とする文書縮約装置。
【請求項６】
電子化された文書から文を抽出する文抽出手段と、
該文抽出手段により抽出し、電子化された文を記憶する記憶手段と、
一つ以上のキーワードの指定を受け付けるキーワード指定手段と、
前記記憶手段に記憶され、電子化された文書から、前記キーワード指定手段により指定され、電子化されたキーワードを含み、電子化された縮約文を生成する文縮約手段と、
該文縮約手段により得られ、電子化された縮約文を並べて電子化された縮約文書を作成する縮約文書作成手段とを具備し、各手段をコンピュータにより実行することを特徴とする文書縮約装置。
【請求項７】
電子化された文書から文を抽出する文抽出手段と、
該文抽出手段により抽出し、電子化された文を記憶する記憶手段と、
前記記憶手段に記憶され、電子化された文書から電子化されたキーワードを抽出するキーワード抽出手段と、
前記記憶手段に記憶され、電子化された文書から、前記キーワード抽出手段により抽出され、電子化されたキーワードを含み、電子化された縮約文を生成する文縮約手段と、
該文縮約手段により得られ、電子化された縮約文を並べて電子化された縮約文書を作成する縮約文書作成手段とを具備し、各手段をコンピュータにより実行することを特徴とする文書縮約装置。
【請求項８】
前記キーワード抽出手段が、キーワードを抽出する際に、重要順位を合わせて得、重要順位に基づき、キーワード数を制御して縮約文書サイズを制御する請求項７の記載の文書縮約装置。
【請求項９】
電子化された文書から重要文を抽出する重要文抽出手段と、
該重要文抽出手段により抽出し、電子化された重要文を記憶する記憶手段と、
一つ以上のキーワードの指定を受け付けるキーワード指定手段と、
前記記憶手段に記憶され、電子化された重要文書から、前記キーワード指定手段により指定され、電子化されたキーワードを含み、電子化された縮約重要文を生成する重要文縮約手段と、
該重要文縮約手段により得られ、電子化された縮約重要文を並べて抄録文書を作成する抄録文書作成手段とを具備し、各手段をコンピュータにより実行することを特徴とする文書抄録装置。
【請求項１０】
電子化された文書から重要文を抽出する重要文抽出手段と、
該重要文抽出手段により抽出し、電子化された重要文を記憶する記憶手段と、
電子化された文書からキーワードを抽出するキーワード抽出手段と、
前記記憶手段に記憶され、電子化された重要文書から、前記キーワード抽出手段により抽出され、電子化されたキーワードを含み、電子化された縮約重要文を生成する重要文縮約手段と、
該重要文縮約手段により得られ、電子化された縮約重要文を並べて電子化された抄録文書を作成する抄録文書作成手段とを具備し、各手段をコンピュータにより実行することを特徴とする文書縮約装置。
【請求項１１】
前記キーワード抽出手段が、キーワードを抽出する際に、重要順位を合わせて得、重要順位に基づき、キーワード数を制御して縮約文書サイズを制御する請求項１０の記載の文書縮約装置。
【発明の詳細な説明】
【０００１】
【発明の属する技術分野】
本発明は文縮約方式及び文書縮約装置並びに文書抄録装置に関する。
【０００２】
【従来の技術】
従来、いわゆる文書の自動抄録文作成装置では、例えば特開昭６１−１１７６５８号公報に開示されているように、大量にある文書に迅速に目を通す際に文書から高頻度の単語を多く含む文を重要文として抽出して、これらを並べることで抄録としている。この場合、抽出されるのは文を単位としているが、その分全体が重要というわけではなく、抄録を構成する文としては冗長であることが多くなる。そこで、冗長部分を除くため、例示部分や彎曲表現を削除して文を縮約する方法が提案されており、次のように縮約することができる。
【０００３】
0003579264.tif 000002
【０００４】
また、文書中の文の構文構造における骨格要素を強調して、文書の速読を支援する方法が特開平７−６５００５号公報によって提案されている。
【０００５】
【発明が解決しようとする課題】
しかし、一般には、例示や彎曲表現は必ずしも多くなく、縮約効果が十分には上がらない。
【０００６】
また、文書中の文の構文構造における骨格要素を強調して、文書の速読を支援する方法によれば、強調された骨格要素をつなげて文を作成することで縮約文はできるが、骨格部分にならない連体修飾部分に重要なキーワードがある場合が多く、これらが欠落してしまう問題がある。その例を次に示す
【０００７】
0003579264.tif 000003
【０００８】
本発明はこの問題点を解決するためのものであり、キーワードを文中から欠落することなく、文を構文構造をベースに縮約することで、キーワード密度が高く、かつ文あるいは句として成立する文の縮約方法と、重要文抽出機能等を組み合わせることで、効果的な縮約及び抄録の生成方法を確立できる文縮約方法、文書縮約装置及び文書抄録装置を提供することを目的とする。
【０００９】
【課題を解決するための手段】
本発明は前記問題点を解決するために、コンピュータにより、電子化された自然言語文の構文木構造を解析する自然言語文解析工程と、一つ以上のキーワードの指定を受け付けるキーワード指定工程と、自然言語文解析工程で得られた電子化された構文木構造から、キーワード指定工程で指定され、電子化されたキーワードを含み、電子化された構文要素から当該自然言語文の最上位の構文要素に至るパスの構文要素を選択して、電子化された部分構文木構造を抽出する部分構文構造抽出工程と、部分構文構造抽出工程により抽出し、電子化された部分構文木構造を記憶する記憶工程と、記憶され、電子化された部分構文木構造から元の自然言語文の部分文を作成する自然言語文作成工程とを実行処理することに特徴がある。よって、キーワードを文中から欠落することなく効果的な縮約及び抄録の生成方法を確立できる。
【００１０】
また、部分構文木構造抽出工程が、自然言語文解析工程で得られ、電子化された構文木構造と類似関係を有し、電子化された構文要素も同時に選択し、又は自然言語文解析工程で得られ、電子化された構文木構造から選択され、電子化された構文要素の下位の構文要素のうち、特定の特徴を有する構文要素も同時に選択して部分構文木構造を抽出すること、更に自然言語文解析工程で得られ、電子化された構文木構造から選択され、電子化された構文要素の下位の構文要素のうち、特定の特徴として、一部あるいは全ての連体修飾を用いることにより、更なる効果的な縮約の生成方法を確立できる。
【００１１】
別の発明として、文書縮約装置の特徴は、電子化された自然言語文の構文木構造を解析する自然言語文解析手段と、一つ以上のキーワードの指定を受け付けるキーワード指定手段と、自然言語文解析手段により得られ、電子化された構文木構造から、キーワード指定手段により指定され、電子化されたキーワードを含み、電子化された部分構文木構造を抽出する部分構文構造抽出手段と、部分構文木構造抽出手段により抽出し、電子化された部分構文木構造を記憶する記憶手段と、記憶手段により記憶され、電子化された部分構文木構造から、電子化された元の自然言語文の部分文を作成する自然言語文作成手段とを具備し、各手段をコンピュータにより実行する。よって、このような構成を有する文書縮約装置によれば、キーワードを文中から欠落することなく、自然文を、構文構造をベースに縮約することで、キーワード密度が高く、かつ文あるいは句として成立する文の縮約方法と、重要文抽出機能等を組み合わせることで、効果的な縮約の生成方法を確立できる。
【００１２】
また、別の発明としての文書縮約装置の特徴は、電子化された文書から文を抽出する文抽出手段と、文抽出手段により抽出し、電子化された文を記憶する記憶手段と、一つ以上のキーワードの指定を受け付けるキーワード指定手段と、記憶手段に記憶され、電子化された文書から、キーワード指定手段により指定され、電子化されたキーワードを含み、電子化された縮約文を生成する文縮約手段と、文縮約手段により得られ、電子化された縮約文を並べて電子化された縮約文書を作成する縮約文書作成手段とを具備し、各手段をコンピュータにより実行する。よって、このような構成を有する文書縮約装置によれば、キーワードを文中から欠落することなく、文を、構文構造をベースに縮約することで、キーワード密度が高く、かつ文あるいは句として成立する文の縮約方法と、重要文抽出機能等を組み合わせることで、効果的な縮約の生成方法を確立できる。
【００１３】
更に、別の発明としての文書縮約装置によれば、電子化された文書から文を抽出する文抽出手段と、文抽出手段により抽出し、電子化された文を記憶する記憶手段と、記憶手段に記憶され、電子化された文書から電子化されたキーワードを抽出するキーワード抽出手段と、記憶手段に記憶され、電子化された文書から、キーワード抽出手段により抽出され、電子化されたキーワードを含み、電子化された縮約文を生成する文縮約手段と、文縮約手段により得られ、電子化された縮約文を並べて電子化された縮約文書を作成する縮約文書作成手段とを具備し、各手段をコンピュータにより実行する。よって、キーワードを文中から欠落することが全くなく、キーワード密度がより高い。また、キーワード抽出手段が、キーワードを抽出する際に、重要順位を合わせて得、重要順位に基づき、キーワード数を制御して縮約文書サイズを制御することにより、効果的な縮約文書を作成できる。
【００１４】
また、別の発明としての文書抄録装置は、電子化された文書から重要文を抽出する重要文抽出手段と、重要文抽出手段により抽出し、電子化された重要文を記憶する記憶手段と、一つ以上のキーワードの指定を受け付けるキーワード指定手段と、記憶手段に記憶され、電子化された重要文書から、キーワード指定手段により指定され、電子化されたキーワードを含み、電子化された縮約重要文を生成する重要文縮約手段と、重要文縮約手段により得られ、電子化された縮約重要文を並べて抄録文書を作成する抄録文書作成手段とを具備し、各手段をコンピュータにより実行することに特徴がある。よって、このような構成を有する文書縮約装置によれば、キーワードを文中から欠落することなく、文を、構文構造をベースに縮約することで、キーワード密度が高く、かつ文あるいは句として成立する文の縮約方法と、重要文抽出機能等を組み合わせることで、効果的な抄録の生成方法を確立できる。
【００１５】
更に、別の発明としての文書抄録装置によれば、電子化された文書から重要文を抽出する重要文抽出手段と、重要文抽出手段により抽出し、電子化された重要文を記憶する記憶手段と、電子化された文書からキーワードを抽出するキーワード抽出手段と、記記憶手段に記憶され、電子化された重要文書から、キーワード抽出手段により抽出され、電子化されたキーワードを含み、電子化された縮約重要文を生成する重要文縮約手段と、重要文縮約手段により得られ、電子化された縮約重要文を並べて電子化された抄録文書を作成する抄録文書作成手段とを具備し、各手段をコンピュータにより実行する。よって、キーワードを文中から欠落することが全くなく、キーワード密度がより高い。キーワード抽出手段が、キーワードを抽出する際に、重要順位を合わせて得、重要順位に基づき、キーワード数を制御して抄録文書サイズを制御することにより、効果的な抄録文書を作成できる。
【００１６】
【発明の実施の形態】
自然言語文の構文木構造を解析する自然言語文解析手段と、一つ以上のキーワードの指定を受け付けるキーワード指定手段と、自然言語文解析手段により得られた構文木構造から、キーワード指定手段により指定されたキーワードを含む部分構文木構造を抽出する部分構文構造抽出手段と、部分構文木構造抽出手段により得られた部分構文木構造から元の自然言語文の部分文を作成する自然言語文作成手段とを具備する。
【００１７】
【実施例】
以下、本発明の実施例を図面に基づいて説明する。
はじめに、本発明の原理について説明する。なお、本実施例における処理対象の日本語文の文書を次の文例を取ることとする。
【００１８】
「通常兵器の部品や加工機械に転用できる工業製品の輸出規制が二十日、日本でも始まった。」
【００１９】
この日本語文は、周知の日本語解析技術により、例えば文節依存構造を示す図１の（ａ）に示すように、文節を構文要素のノードとする構文木構造に解析することができる。この場合、文節「通常兵器の」が文節「部品や」を修飾し、また文節「輸出規制が」、文節「二十日、」、文節「日本でも」という３つの文節が構文上の最上位の文節「始まった。」を修飾している。
【００２０】
この構文木構造上で、指定されたキーワードをもつ構文要素に基づいて部分木構造を得て、元の文の部分文である縮約文を生成することができる。例えば、図１の（ｂ）に示すような部分木構造を得れば、これに対応する文は、このような部分木構造から容易に「輸出規制が二十日、日本でも始まった。」という縮約文が得られる。
【００２１】
また、このような縮約文から図１の（ｃ）に示すように部分木構造からは、「工業製品の輸出規制」が得られる。なお、ここではこの部分木構造の最上位の文節「輸出規制が」の付属語部分「が」を省いている。
【００２２】
次に、このような原理を実現するための本発明の第１の実施例に係る文書縮約装置の構成を示す図２に従って説明する。同図において、本発明の第１の実施例に係る文書縮約装置は、入力された文書に対して自然言語文の構文木構造を解析する自然言語文解析手段１１と、キーワードの指定を受け付けるキーワード指定手段１２と、構文木構造から指定されたキーワードを含む部分木構造を抽出する部分木構造抽出手段１３と、更に部分構文木構造抽出手段１３により得られた部分構文木構造から元の自然言語文の部分文を作成する自然言語文作成手段１４とを含んで構成されている。
【００２３】
本実施例の文書縮約装置の動作を、上記の例文を用いて説明すると、入力された文書は、自然言語文解析手段１１によって図１の（ｄ）に示すような自然言語文の構文木構造に解析されて部分木構造抽出手段１３に供給される。そして、入力されたキーワード、例えばキーワード「輸出規制」が、キーワード指定手段１２により指定された場合、部分木構造抽出手段１３により図１の（ｂ）及び（ｃ）の部分木構造が抽出され、自然言語文作成手段１４により対応する縮約文「輸出規制が二十日、日本でも始まった。」及び「工業製品の輸出規制」を得ることができる。また、キーワード指定手段１２によりキーワード「通常兵器」も合わせて指定された場合には、部分木構造抽出手段１３により図１の（ｄ）に示すような部分木構造が得られる場合も考えられ、この場合は「通常兵器の部品や工業製品の輸出規制が始まった。」という縮約文を得ることができる。つまり、指定されたキーワードを含む構文要素から最上位の構文要素に至るパスの構文要素を選択する。例えば、キーワード「通常兵器」に対しては、構文木構造上で最上位の構文要素「始まった。」に至ることから図１の（ｄ）の部分木構造が得られる。この場合、「輸出規制」がキーワードとして合わせて指定されていても、既に対応する構文要素が選択されているので、得られる部分木構造は同じである。キーワードが「輸出規制」だけの場合には、図１の（ｅ）のようになり、「輸出規制が始まった。」得られる。
【００２４】
更に、選択された構文要素の類似関係がある構文要素も選択するので、図１の（ｄ）のような場合には、「輸出規制が」と直接の上位要素「始まった。」を同じ上位要素とする「二十日、」と「日本でも」も選択する。よって、図１の（ｂ）のような部分木構造と対応する縮約文が得られる。
【００２５】
また、選択された構文要素の下位の構文要素のうちの特定の構文要素を選択する方法も考えられ、その特定の特徴を連体修飾とするもので、日本語の場合であれば、格助詞「の」による連体修飾や、動詞や形容詞の連体形による連体修飾等に限定するものである。例えば、格助詞「の」による連体修飾の下位の構文要素を選択する場合は、図１の（ｆ）に示すようになり、「工業製品の輸出規制が始まった。」が得られる。
【００２６】
次に、図３に示す本発明の第２の実施例に係る文書縮約装置について説明するが、はじめに以下の実施例における処理対象の日本語文書の一例を以下に示す。
【００２７】
「通常兵器関連の工業製品
輸出規制が始動
４カ国対象
通常兵器の部品や加工機械に転用できる工業製品の輸出規制が二十日、日本でも始まった。英米などの主要先進七カ国（Ｇ７）の合意に基づいた規制であり、イラクなど四カ国を対象にして、対共産圏輸出統制委員会（ココム）のリストを準用する。Ｇ７は既に対象となる品目、国を広げるための話合いを始めており、冷戦終結で変わる新たな輸出規制に発展しそうだ。
規制対象となる国は、イラン、イラク、リビア、朝鮮民主主義共和国（北朝鮮）の四カ国である。北朝鮮は、既に共産圏として特定地域に指定されているため、新たに追加されるのは三カ国である。また、イラクは経済制裁で禁輸措置が取られている。今回の措置で輸出に大きな変化が出るのはイランとリビアの二国になりそうだ。
輸出貿易管理例などに基づいて定められたコンピュータや工作機械などの規制品目を輸出するときには、通産省に許可申請を行う。その際、特定地域に指定されている国に対しては、明らかに民生用とわかる場合でなければ許可が下りず、事実上、規制品は輸出できない。」（１９９３年１月２２日朝日新聞より抜粋）
【００２８】
このような日本語文書に対し、第２の実施例の文縮約装置は、文書から文を抽出する文抽出手段１５と操作者の指定を受け付けるキーワード指定手段１２を用い、各文に対し、指定されたキーワードにより前述の文縮約原理による文縮約手段１６により文を縮約し、縮約文書作成手段１７により縮約文を並べて縮約文書を作成する。また、図４の第３の実施例の文縮約装置は、第２の実施例のおけるキーワードを操作者により指定するキーワード指定手段１２に代えて自動的に文書からキーワードを抽出するキーワード抽出手段１８を有する点に特徴があり、その相違点以外は同様な処理が施される。なお、このキーワード抽出手段１８は、文書内の単語の頻度等に基づきキーワードを自動抽出する技術は、公知技術としてさまざま知られているところである。
【００２９】
このような構成を有する第２及び第３の実施例の文縮約装置によれば、例えば、キーワードとして、「輸出規制」、「対共産圏輸出統制委員会」、「規制対象」、「通常兵器」、「主要先進七カ国（Ｇ７）」、「工業製品」がキーワード指定手段１２又はキーワード抽出手段１６により指定あるいは抽出された場合で、形容詞の連体修飾を用いる文縮約方式に基づけば、次のような縮約文が得られる。
【００３０】
「通常兵器関連の工業製品
輸出規制が始動
通常兵器の部品や加工機械に転用できる工業製品の輸出規制が始まった。主要先進七カ国（Ｇ７）の合意に基づいた規制であり、対共産圏輸出統制委員会（ココム）のリストを準用する。Ｇ７は話し合いを始めており、新たな輸出規制に発展しそうだ。
規制対象となる国は、四カ国である。」
【００３１】
次に、図５に示す別の発明の第１の実施例に係る文書抄録装置によれば、やはり公知技術である重要文抽出方法による重要文抽出手段１９で抽出された重要文書の文に対して重要文縮約手段２０により文縮約を施して縮約重要文を得、そして抄録文書作成手段２１により縮約重要文を並べて抄録文書を作成する。上記の文書から次の２文が重要文抽出手段１９により抽出され、キーワードは上記と同じとすれば、以下のような文書が得られる。
【００３２】
「通常兵器の部品や加工機械に転用できる工業製品の輸出規制が二十日、日本でも始まった。英米などの主要先進七カ国（Ｇ７）の合意に基づいた規制であり、イラクなど四カ国を対象にして、対共産圏輸出統制委員会（ココム）のリストを準用する。」
【００３３】
「通常兵器の部品や加工機械に転用できる工業製品の輸出規制が始まった。主要先進七カ国（Ｇ７）の合意に基づいた規制であり、対共産圏輸出統制委員会（ココム）のリストを準用する。」
【００３４】
また、図６に示す別の発明の第２の実施例に係る文書抄録装置は、図５に示す第１の実施例のようなキーワードを操作者により指定するキーワード指定手段１２に代えて自動的に文書からキーワードを抽出するキーワード抽出手段１８を有する点に特徴があり、その相違点以外は同様な処理が施される。そこで、このキーワード抽出手段１８で、キーワードが順位付けられて得られた場合に、上位のキーワード数を増減することで、縮約文書のサイズを調整することができる。例えば、上記の文で用いたキーワード「輸出規制」、「対共産圏輸出統制委員会」、「規制対象」、「通常兵器」、「主要先進七カ国（Ｇ７）」、「工業製品」が、この順位で重要であるとする。これら全てを用いた縮約文書は、上位の２つのキーワード「輸出規制」、「対共産圏輸出統制委員会」とすると、
【００３５】
「輸出規制が始まった。対共産圏輸出統制委員会（ココム）のリストを準用する。新たな輸出規制に発展しそうだ。」
という縮約された抄録文書が得られる。
【００３６】
なお、本発明は上記各実施例に限定されるものではなく、特許請求の範囲内に記載であれば多種の変形や置換可能であることは言うまでもない。
【００３７】
【発明の効果】
以上説明したように、本発明によれば、コンピュータにより、電子化された自然言語文の構文木構造を解析する自然言語文解析工程と、一つ以上のキーワードの指定を受け付けるキーワード指定工程と、自然言語文解析工程で得られた電子化された構文木構造から、キーワード指定工程で指定され、電子化されたキーワードを含み、電子化された構文要素から当該自然言語文の最上位の構文要素に至るパスの構文要素を選択して、電子化された部分構文木構造を抽出する部分構文構造抽出工程と、部分構文構造抽出工程により抽出し、電子化された部分構文木構造を記憶する記憶工程と、記憶され、電子化された部分構文木構造から元の自然言語文の部分文を作成する自然言語文作成工程とを実行処理することに特徴がある。よって、キーワードを文中から欠落することなく効果的な縮約及び抄録の生成方法を確立できる。
【００３８】
また、部分構文木構造抽出工程が、自然言語文解析工程で得られ、電子化された構文木構造と類似関係を有し、電子化された構文要素も同時に選択し、又は自然言語文解析工程で得られ、電子化された構文木構造から選択され、電子化された構文要素の下位の構文要素のうち、特定の特徴を有する構文要素も同時に選択して部分構文木構造を抽出すること、更に自然言語文解析工程で得られ、電子化された構文木構造から選択され、電子化された構文要素の下位の構文要素のうち、特定の特徴として、一部あるいは全ての連体修飾を用いることにより、更なる効果的な縮約の生成方法を確立できる。
【００３９】
別の発明として、文書縮約装置の特徴は、電子化された自然言語文の構文木構造を解析する自然言語文解析手段と、一つ以上のキーワードの指定を受け付けるキーワード指定手段と、自然言語文解析手段により得られ、電子化された構文木構造から、キーワード指定手段により指定され、電子化されたキーワードを含み、電子化された部分構文木構造を抽出する部分構文構造抽出手段と、部分構文木構造抽出手段により抽出し、電子化された部分構文木構造を記憶する記憶手段と、記憶手段により記憶され、電子化された部分構文木構造から、電子化された元の自然言語文の部分文を作成する自然言語文作成手段とを具備し、各手段をコンピュータにより実行する。よって、このような構成を有する文書縮約装置によれば、キーワードを文中から欠落することなく、自然文を、構文構造をベースに縮約することで、キーワード密度が高く、かつ文あるいは句として成立する文の縮約方法と、重要文抽出機能等を組み合わせることで、効果的な縮約の生成方法を確立できる。
【００４０】
また、別の発明としての文書縮約装置の特徴は、電子化された文書から文を抽出する文抽出手段と、文抽出手段により抽出し、電子化された文を記憶する記憶手段と、一つ以上のキーワードの指定を受け付けるキーワード指定手段と、記憶手段に記憶され、電子化された文書から、キーワード指定手段により指定され、電子化されたキーワードを含み、電子化された縮約文を生成する文縮約手段と、文縮約手段により得られ、電子化された縮約文を並べて電子化された縮約文書を作成する縮約文書作成手段とを具備し、各手段をコンピュータにより実行する。よって、このような構成を有する文書縮約装置によれば、キーワードを文中から欠落することなく、文を、構文構造をベースに縮約することで、キーワード密度が高く、かつ文あるいは句として成立する文の縮約方法と、重要文抽出機能等を組み合わせることで、効果的な縮約の生成方法を確立できる。
【００４１】
更に、別の発明としての文書縮約装置によれば、電子化された文書から文を抽出する文抽出手段と、文抽出手段により抽出し、電子化された文を記憶する記憶手段と、記憶手段に記憶され、電子化された文書から電子化されたキーワードを抽出するキーワード抽出手段と、記憶手段に記憶され、電子化された文書から、キーワード抽出手段により抽出され、電子化されたキーワードを含み、電子化された縮約文を生成する文縮約手段と、文縮約手段により得られ、電子化された縮約文を並べて電子化された縮約文書を作成する縮約文書作成手段とを具備し、各手段をコンピュータにより実行する。よって、キーワードを文中から欠落することが全くなく、キーワード密度がより高い。また、キーワード抽出手段が、キーワードを抽出する際に、重要順位を合わせて得、重要順位に基づき、キーワード数を制御して縮約文書サイズを制御することにより、効果的な縮約文書を作成できる。
【００４２】
また、別の発明としての文書抄録装置は、電子化された文書から重要文を抽出する重要文抽出手段と、重要文抽出手段により抽出し、電子化された重要文を記憶する記憶手段と、一つ以上のキーワードの指定を受け付けるキーワード指定手段と、記憶手段に記憶され、電子化された重要文書から、キーワード指定手段により指定され、電子化されたキーワードを含み、電子化された縮約重要文を生成する重要文縮約手段と、重要文縮約手段により得られ、電子化された縮約重要文を並べて抄録文書を作成する抄録文書作成手段とを具備し、各手段をコンピュータにより実行することに特徴がある。よって、このような構成を有する文書縮約装置によれば、キーワードを文中から欠落することなく、文を、構文構造をベースに縮約することで、キーワード密度が高く、かつ文あるいは句として成立する文の縮約方法と、重要文抽出機能等を組み合わせることで、効果的な抄録の生成方法を確立できる。
【００４３】
更に、別の発明としての文書抄録装置によれば、電子化された文書から重要文を抽出する重要文抽出手段と、重要文抽出手段により抽出し、電子化された重要文を記憶する記憶手段と、電子化された文書からキーワードを抽出するキーワード抽出手段と、記記憶手段に記憶され、電子化された重要文書から、キーワード抽出手段により抽出され、電子化されたキーワードを含み、電子化された縮約重要文を生成する重要文縮約手段と、重要文縮約手段により得られ、電子化された縮約重要文を並べて電子化された抄録文書を作成する抄録文書作成手段とを具備し、各手段をコンピュータにより実行する。よって、キーワードを文中から欠落することが全くなく、キーワード密度がより高い。キーワード抽出手段が、キーワードを抽出する際に、重要順位を合わせて得、重要順位に基づき、キーワード数を制御して抄録文書サイズを制御することにより、効果的な抄録文書を作成できる。
【図面の簡単な説明】
【図１】本発明における文節依存構造の変化を示す図である。
【図２】本発明の第１の実施例に係る文書縮約装置の構成を示すブロック図である。
【図３】本発明の第２の実施例に係る文書縮約装置の構成を示すブロック図である。
【図４】本発明の第３の実施例に係る文書縮約装置の構成を示すブロック図である。
【図５】別の発明の第１の実施例に係る文書抄録装置の構成を示すブロック図である。
【図６】別の発明の第２の実施例に係る文書抄録装置の構成を示すブロック図である。
【符号の説明】
１１    自然言語文解析手段
１２    キーワード指定手段
１３    部分木構造抽出手段
１４    自然言語文作成手段
１５    文抽出手段
１６    文縮約手段
１７    縮約文書作成手段
１８    キーワード抽出手段
１９    重要文抽出手段
２０    重要文縮約手段
２１    抄録文書作成手段
【図１】
0003579264.tif 000004
【図２】
0003579264.tif 000005
【図３】
0003579264.tif 000006
【図４】
0003579264.tif 000007
【図５】
0003579264.tif 000008
【図６】
0003579264.tif 000009